(57)【要約】【課題】植物の根の伸育を阻害せず、健全な苗を育成するための育苗ポットの提供。【解決手段】育苗ポットを半透明の素材で出来た、開口部から底部に向かって拡径する本体と、透明素材で出来た、水抜き穴を有する底部とで構成することにより、根の徒長や苗の老化等の生育不良を防ぎ、健全な苗の育成ができる。【選択図】図１
2015073528.tif 000002
【特許請求の範囲】
【請求項１】
半透明の素材で出来た、開口部から底部に向かって拡径する本体と、本体の下端に着脱自在に取り付けられる、透明素材で出来た、水抜き穴を有する底部からなることを特徴とする育苗ポット。
【請求項２】
請求項１に記載した育苗ポットにおいて、本体の光の透過率が２０〜６０％であることを特徴とする育苗ポット。
【請求項３】
請求項１に記載した育苗ポットにおいて、本体の光の透過率が３５〜４５％であることを特徴とする育苗ポット。
【発明の詳細な説明】
【技術分野】
【０００１】  本発明は、野菜や花きあるいは果樹等の樹木の苗を健全に育成するポットに関するものである。
【背景技術】
【０００２】  育苗は、育苗用のポットに土を充填し、発芽養成した稚苗を植えたり、直接種子を播くことにより行っているが、植物の根は下に伸育するにしたがって横に広がっていくため、底部に向かって縮径する形状のポットでは植物の根の健全な伸長が阻害され苗の老化を引き起こすという欠点が指摘されていた。  また、潅水した水がポットの内周面に沿って集中することで、その近辺にまで伸長した根がそこに集中した水分によって徒長し、巻き根となり、細根や根毛の少ない根となってしまう。その結果、それらの細根や根毛の先端部に集中したマイナスイオンによって吸着、吸収されるカチオン状態のカリウムやミネラル類の吸収が低下し、かわりに、根全体の表層部から浸透圧で吸収されるチッソ成分が多くなって、苗の細胞の新陳代謝が緩慢となり、徒長苗あるいは老化苗となってしまうという弊害が起こっていた。【０００３】  これに対し特許文献１で提案されている、開口部から底部に向かって拡径している育苗ポットは、底に近づくほど土の体積が大きくなるので、植物の根の、下に伸びるに従って広がる性質を考えても理にかなっている。また、潅水した水は、下に向かって浸透するに従いポット内の断面積も大きくなっていくので、ポット内周面への集中が起こらず、上記問題を防ぐことが出来、さらに従来型の底部に向かって縮径する育苗ポットに比べ７５％〜８５％の容積で苗の育成が可能となるので、使用する土の量を減らすことが出来るとともに育苗ポットの重量も軽減するという効果もあった。
【先行技術文献】
【０００４】
【特許文献１】  実用新案登録第３０９７４０８号
【発明の概要】
【発明が解決しようとする課題】
【０００５】  しかしながら、この形のポットにおいても、伸長した根はポットの側壁や底面にぶつかるとそれらに沿って伸びて行くため、外気温の影響を受けやすく、根が生育不良をきたし苗が老化するという問題は残っていた。
本発明は、上記の課題を解決するものであり、根の伸育を阻害することなく活性の低下を防いで、苗を健全に育成することを目的とする。
【課題を解決するための手段】
【０００６】  本発明は、育苗ポットを、底部に向かって拡径する形状にするとともに、植物の根が光と空気の多い場所では、先端部の伸育が抑制され、その根の基部に近い部位から多数の細根が発生する性質に着目し、ポットを構成する素材を光が透過する素材とすることで上記問題が解決されることを見いだしたものである。【０００７】  請求項１の発明は、半透明の素材で出来た、開口部から底部に向かって拡径する本体と、本体の下端に着脱自在に取り付けられる、透明素材で出来た、水抜き穴を有する底部からなることを特徴とする育苗ポットである。【０００８】  請求項２の発明は、請求項１に記載した育苗ポットにおいて、本体の光の透過率が２０〜６０％であることを特徴とする育苗ポットである。【０００９】  請求項３の発明は、請求項１に記載した育苗ポットにおいて、半透明の本体の光の透過率が３５〜４５％であることを特徴とする育苗ポットである。
【発明の効果】
【００１０】  本発明では、育苗ポット本体を光が透過する半透明の素材で構成し、着脱可能な底部を透明な素材で構成している。これは上記したように、植物の根は光と空気の多い場所では生育が抑えられる生理を利用したもので、根の先端の生長点が弱い光の射す側壁部に到達すると、根の先端部の伸育が抑制されて、その根の基部に近い部位から多数の細根が発生し、結果としてポットの土の内部の根数が多くなる。すなわち、根の先端の総数が多くなり、カリウム及びミネラル類の吸収が旺盛になって、健全な苗を育成できる効果がある。
また、底部を透明にしたことにより、底部の外周面に当たった光を透明素材内に取り込んで散乱させ、底面からポット内に散乱光として照射できるため、光の届きにくい底部においても、半透明の本体と同様の効果が期待できるものである。
【図面の簡単な説明】
【００１１】
【図１】  本発明の実施の形態に係る育苗ポットの断面図である。
【図２】  図１の育苗ポットにおける育苗状態の斜視図である。
【図３】  本発明の実施の形態に係る育苗ポットの底部の斜視図である。
【図４】  本発明の実施の形態に係る育苗ポットの育苗状態の模式図である。
【図５】  根から養分が吸収される状態の模式図である。
【図６】  本発明の育苗ポットにおける育苗の例を示す説明図である。
【図７】  一般的な育苗ポットにおける育苗状態の斜視図である。
【図８】  一般的な育苗ポットにおける育苗状態の模式図である。
【図９】  特許文献１に係る育苗ポットにおける育苗状態の模式図である。
【発明を実施するための形態】
【００１２】  図１に本発明の形態を断面で示すが、本体３は光の透過率が２０％から６０％の半透明のプラスチックで成形されており、上端、下端とも開口した筒状で、上端の開口部７から下端にかけて徐々に拡径している。下端には底部５が着脱自在に取り付けられていて、透明のプラスチックで成形され、上端、下端とも略同径の短い筒状で、軸心方向の略中央に水抜き穴９の開いた底面が形成され、底面より上側の内径は本体３の下端の外周と略同じで、本体３の下端部を受け入れる形となっている。
【００１３】  図２は本発明における育苗の状態を示す斜視図であり、ポット内に培養土ａを充填し、発芽養成した稚苗を植えるか、もしくは直接、種子を播いて苗ｂを育てる。
【００１４】  図３は本体３から取り外した底部５の斜視図であり、底面には複数の水抜き穴９が形成されている。
【００１５】  図４は本発明の育苗ポットによる育苗の状態を模式的に表したものである。この育苗ポットは上部から下部に向かって拡径しているため、稚苗の根は下に向かって無理無く広がって伸びている。また、本体３は半透明の素材で形成されているので、育苗ポットの周囲に当たる光が弱められて育苗ポット内に差し込む。その結果、苗の根は本体３の内周面にまで達すること無く伸長が抑制され、それぞれの根には細根が多数発生している。本体３の半透明素材の光の透過率は２０％から６０％の範囲であるが、透過する光が５０％を超えてくると根焼けのリスクが徐々に高まるため、４０％前後が好ましい。さらに、透明素材で形成された底部５からは、底部５の外周から取り込まれた光が、素材内で散乱し、一部が育苗ポット内に差し込むため、本体３と同様、苗の根は底面に達すること無く伸長が抑制され、細根も多数発生する。
【００１６】  図５は根から養分が吸収される様子を模式的に表したものであるが、苗の健全な育成のためには、カリウム及びミネラル類が重要である。そして、そのカリウム及びミネラル類は、根の先端部に集積しているマイナスイオンによってカチオン（プラスイオン）の状態で細根ｃや根毛ｄによって吸着、吸収される。一方、チッソ成分はマイナスイオンであるため、根の先端部ではなく、根全体の表層部から水と一緒に浸透圧で吸収されるが、チッソ成分ばかりが多くなると、苗の細胞の新陳代謝が緩慢となり、徒長苗あるいは老化苗となってしまう。
本発明では、即ち、細根ｃや根毛ｄが多数発生することにより、根の先端部の総数も多くなるので、カリウム及びミネラル類の吸収が盛んになり、チッソ成分の余分な吸収が押さえられ、苗は健全に育成されることになる。
【００１７】  図６は本発明の育苗ポットを用いた育苗における好ましい一例であるが、これは育苗ポットの下にスペーサー１１を介し、育苗ポットを床面から少し持ち上げている例である。この方法では床面からの反射光が底面から差し込むため、底部５の外周面から入る光だけでは不足がちな光量を十分に補うことができる。
【００１８】  図７は従来の下に向かって縮径する形の育苗ポットにおける育苗の状態を示す斜視図であり、図８はその断面を模式的に表したものであるが、ポットの内周面が下に向かって縮径しているため、伸長した根は内周面に当たって内周面に沿った巻き根ｅとなり、外気温の影響を受けやすくなる。また、潅水の時にポット周辺部に注がれた水はポットの内周面を伝って底に向かうので、内周面に水が集中しやすい。そのため、巻き根は徒長して細根や根毛は増えず、結果としてカリウム及びミネラル類の吸収が少なくなる代わりにチッソ成分の吸収ばかりが増えてしまう。
【００１９】  図９は特許文献１で示されている育苗ポットでの育苗状態を表す模式図であるが、このように下に向かって拡径する形では、潅水時の、内周面への水の集中は起こらないが、内周面にまで伸長した根はそれに沿って伸びることになるため、外気温の影響は避けられず、生育不良をきたしやすい。
【００２０】  以上、本発明の実施の形態を説明したが、本発明の具体的な構成が、上記の実施の形態に限定されるものではなく、本発明の要旨から外れない範囲での設計変更があっても本発明に含まれる。
例えば、本発明は図３の斜視図において所謂、円錐台形を示したが、これは断面が多角形の角錐台でもよく、それらの組み合わせでもよい。また、本発明を構成する素材は、特許請求されている条件を満たす限り、従来からある、または将来案出される素材を活用することができる。
【符号の説明】
【００２１】  １・・・・育苗ポット
３・・・・本体
５・・・・底部
７・・・・開口部
９・・・・水抜き穴
１１・・・・スペーサー
ａ・・・・培養土
ｂ・・・・苗
ｃ・・・・細根
ｄ・・・・根毛
ｅ・・・・巻き根
【図１】
2015073528.tif 000003
【図２】
2015073528.tif 000004
【図３】
2015073528.tif 000005
【図４】
2015073528.tif 000006
【図５】
2015073528.tif 000007
【図６】
2015073528.tif 000008
【図７】
2015073528.tif 000009
【図８】
2015073528.tif 000010
【図９】
2015073528.tif 000011